(57)【要約】【課題】見栄え良く、安定した姿勢で装着できるようにする。【解決手段】筒状体１１の周壁に筒軸方向全長に亘るスリット１２を形成し、そのスリット１２を広げながら、衣服用ハンガ２０のフック２２の直線部２２ａを前記筒状体１１内に嵌め込み、その筒状体１１の側面には衣服用ハンガ２０に吊るされる衣服のサイズａが表示された衣服用ハンガの表示具１０である。筒状体１１の上端内面に支持腕１３を設け、この支持腕１３は、中央にフック直線部２２ａが嵌る穴１４を有し、その穴１４はスリット１２に向かってフック直線部２２が通り得る程度に開口している。支持腕１３には、穴１４から筒状体１１に向かってスリット１５を放射状に形成して開き易くする。この表示具１０は、腕１３によりフック２２にガタつき無く装着され、ハンガ２０に突起２３があってもその突起２３を筒状体１１で被うことができるので、見栄えが良い（図ｄ）。【選択図】　図１
2004000404.tif 000002
【特許請求の範囲】
【請求項１】
筒状体１１の周壁に筒軸方向全長に亘るスリット１２を形成し、そのスリット１２を広げながら、衣服用ハンガ２０のフック２２の直線部２２ａを前記筒状体１１内に嵌め込み、その筒状体１１の側面には前記衣服用ハンガ２０に吊るされる衣服のサイズａが表示された衣服用ハンガの表示具１０において、
上記筒状体１１の内面に支持腕１３を筒状体１１の中心に向かって設け、この支持腕１３は、筒状体１１の下端から所要高さにあって、中央に上記フック直線部２２ａが嵌る穴１４を有し、その穴１４は上記スリット１２に向かって前記フック直線部２２ａが通り得る程度に開口していることをことを特徴とする衣服用ハンガの表示具。
【請求項２】
上記支持腕１３は、上記筒状体１１の内面全周に亘って設けられていることを特徴とする請求項１に記載の衣服用ハンガの表示具。
【請求項３】
上記支持腕１３の周囲には、上記穴１４から筒状体１１に向かってスリット１５が放射状に形成されていることを特徴とする請求項２に記載の衣服用ハンガの表示具。
【請求項４】
上記支持腕１３は、筒状体１１の上端に設けられていることを特徴とする請求項１乃至３のいずれかに記載の衣服用ハンガの表示具。
【請求項５】
上記ハンガ２０が、その本体２１のフック２２立ち上がり部に補強用突起２３を有するものにあっては、上記筒状体１１はその突起２３をすっぽり被う大きさを有し、その筒状体１１が突起２３を覆った際、上記支持腕１３は突起２３に当たらない高さにあることを特徴とする請求項１乃至４のいずれかに記載の衣服用ハンガの表示具。
【発明の詳細な説明】
【０００１】
【発明の属する技術分野】
この発明は、衣服用ハンガのフックに嵌めて、そのハンガに吊るされる衣服のサイズを表示する表示具に関する。
【０００２】
【従来の技術】
この種の表示具の一例として、登録実用新案第３０７８３６０号公報に記載され、図５（ａ）及び図７に符号３０を付して示すものがあり、図５（ａ）の表示具３０は、合成樹脂製筒状体３１の周壁に筒軸方向全長に亘るスリット３２を形成し、その側面にハンガ２０に吊られる衣服のサイズ、例えば、Ｓ、Ｍ、Ｌ等の表示ａが刻印やペイントで付されたものである。
【０００３】
この表示具３０は、図５（ｂ）に示すように、上記スリット３２をハンガ２０のフックの直線部２２ａに沿わせて矢印のごとく押圧し、そのスリット３２を広げながら、衣服用ハンガ２０のフック直線部２２ａを前記筒状体１内に嵌め込んで、フック２２に装着する。このとき、筒状体１１は弾性力でスリット３２を狭めてフック２２から抜け出ない。
【０００４】
図７の表示具３０は、合成樹脂製柱状体３５からなり、その柱状体３５にフック２２の保持穴３６を形成して、側面に表示ａを付したものであり、矢印のごとく、穴３６にフック直線部２２ａを嵌めて、フック２２に取付ける。このとき、同様に、柱状体３５は弾性力で穴３６を狭めてフック２２から抜け出ない。
【０００５】
【発明が解決しようとする課題】
ところで、ハンガが樹脂で形成されているものには、図５（ｂ）に示すもののように、そのハンガ本体２１の長手方向中央部のフック２２が立ち上がる位置に、補強用の突起２３を一体成形で設けたものがある。この突起２３には、半球、円錐、筒状などの種々の形状のものがあって、デザイン上の効果も有する。
【０００６】
しかしながら、この突起２３があるために、図５（ａ）の表示具３０は、フック２２に装着すると、図６（ａ）に示すように、、突起２３の上に体裁よく乗る場合は少なく、通常、同図（ｂ）に示すように、傾むく場合が多い。この状態は見栄えが悪い。
【０００７】
また、図７の表示具３０は、穴３６が上下端に至ってフック２２を挟持する大きさのため、そのフック２２の径より大きい突起２３を被い得ず、図６と同様にその突起２３に乗るだけで、見栄えが悪い。
【０００８】
この発明は、表示具を、見栄え良く、安定した姿勢で、フックに装着できるようにすることを課題とする。
【０００９】
【課題を解決するための手段】
上記課題を解決するために、この発明は、まず、上記表示具において、その筒状体の内面にフックを支持する腕を設け、その腕でもって表示具をフックに安定した姿勢で装着するようにしたのである。
【００１０】
つぎに、この発明は、その支持腕を筒状体の下端から所要高さにして、上記突起などがあっても、筒状体の内径を適宜に設定することにより、その突起などが支持腕より下方の筒状体内に入り得るようにしたのである。筒状体内に突起などが入れば、体裁がよく、見栄えもよい。
【００１１】
具体的には、筒状体の周壁に筒軸方向全長に亘るスリットを形成し、そのスリットを広げながら、衣服用ハンガのフックの直線部を前記筒状体内に嵌め込み、その筒状体の側面には前記衣服用ハンガに吊るされる衣服のサイズが表示された衣服用ハンガの表示具において、前記筒状体の内面に支持腕を筒状体の中心に向かって設け、この支持腕は、筒状体の下端から所要高さにあって、中央に上記フック直線部が嵌る穴を有し、その穴は上記スリットに向かって前記フック直線部が嵌り得る程度に開口している構成としたのである。
【００１２】
支持腕の位置を筒状体の下端から所要高さとしたのは、上記突起を被うことに加え、下端に支持腕があると、上端が開放していることにより、フックに対し筒状体が傾き易く、傾けば、体裁が悪くなるからである。このため、筒状体は突起を十分に（すっぽり）被う大きさ（内径）を有し、かつ、支持腕が突起に当たらない十分な高さにあることが好ましい。例えば、支持腕は、筒状体の上端に設けると良い。上端であれば、筒状体の下端はハンガに当接し、上端が支持腕で支持されるため、筒状体は体裁よくフックに取付けられるからである。
【００１３】
また、支持腕は、筒状体の内面全周に亘って設ければ、強度的にも十分なものとすることができる上に、フックへの支持力も十分なものとできる。このとき、支持腕の周囲に、上記穴から筒状体に向かってスリットを放射状に形成すれば、筒状体のスリットを介した押し開きがスムースとなる。
【００１４】
【発明の実施の形態】
一実施形態を図１に示し、この実施形態の表示具１０は、合成樹脂による一体成形品であり、筒状体１１のその側面にスリット１２が形成されている。筒状体１１の内径は、上述のハンガ２０の突起２３がすっぽり入る大きさであり、スリット１２はそのフック２２の径より狭い幅となっている。
【００１５】
筒状体１１には、その上端を塞ぐ支持腕１３が設けられ、その支持腕１３の中央にフック２２が嵌り得る支持穴１４を有する。また、支持腕１３には上記スリット１２からその穴１４に向かってスリット１５が形成されている。このスリット１５も含めて前記穴１４の周囲には筒状体１１に至るスリット１５が支持腕１３の周方向等間隔放射状に形成されている。このスリット１５により、支持腕１３に円滑な開放機能を付与して筒状体１１をスリット１２を介してスムースに開く。スリット１５の数は任意であり、その間隔も任意である。例えば、図２のように、３本などとしたり、図４に示すように省略し得る。筒状体１１の側面には、従来と同様に衣料サイズａが表示され、例えば、図１（ａ）、図４に示すように、「Ｍ」、「Ｓ］等、図２（ａ）に示すように、「６０ｃｍ」、図３（ａ）に示すように、「７号」等が表示される。
【００１６】
この表示具１０は、従来と同様に、図５（ｂ）に示した突起２３付きのハンガ２０のフック２２にスリット１２を介して嵌めると、図１（ｄ）に示すように、筒状体１１下部で突起２３をすっぽり被って、その下部が突起２３に嵌るとともに、支持腕１３の支持穴１４にフック２２の直線部２２ａが嵌まる。この状態は、表示具１０がフック２２に対し傾くことなく、体裁がよく、見栄えもよい。　なお、この実施形態では、筒状体１１を円筒としたが、楕円筒、多角筒、特に６角筒などの等多角筒等でもよい。また、支持腕１３は筒状体１１の上端に限らず、フック２２に体裁よく支持され得る限りにおいて、筒状体１１の筒軸方向任意位置を採用し得る。例えば、図３に示すように、突起２３の邪魔にならない下方適宜位置を採用し得る。さらに、筒状体１１の下端内周縁１６は、図１（ｄ）に示すように、突起２３の表面形状に沿う面取りをするとよい。
【００１７】
【発明の効果】
以上のように、この発明は、支持腕でもって表示具をフックに安定した姿勢で装着するようにし、かつ、その支持腕が筒状体下端から所要高さにあるようにして、ハンガ上の突起等を避け得るようにしたので、見栄え良く、安定した姿勢で、フックに装着できる。
【図面の簡単な説明】
【図１】一実施形態を示し、（ａ）は斜視図、（ｂ）は平面図、（ｃ）は（ｂ）のＢ−Ｂ線断面図、（ｄ）は作用断面図
【図２】他の実施形態を示し、（ａ）は斜視図、（ｂ）は平面図、（ｃ）は（ｂ）のＢ−Ｂ線断面図
【図３】他の実施形態を示し、（ａ）は斜視図、（ｃ）は切断側面図
【図４】他の実施形態の斜視図
【図５】（ａ）は従来例の斜視図、（ｂ）はその従来例の取付作用図
【図６】（ａ）、（ｂ）それぞれ従来例の取付作用図
【図７】他の従来例の斜視図
【符号の説明】
１０、３０　表示具
１１　筒状体
１２　スリット
１３　支持腕
１４　支持穴
１５　放射状スリット
１６　筒状体下端内周縁
２０　ハンガ
２１　ハンガ本体
２２　フック
２２ａ　フック直線部
２３　突起
【図１】
2004000404.tif 000003
【図２】
2004000404.tif 000004
【図３】
2004000404.tif 000005
【図４】
2004000404.tif 000006
【図５】
2004000404.tif 000007
【図６】
2004000404.tif 000008
【図７】
2004000404.tif 000009